(57)【要約】【課題】  筒状体に対して巻き取り軸をスムースに移動させることが可能な携帯用旗を提供することを目的とする。【解決手段】  携帯用旗は、筒状体１５と、この筒状体１５の内部に移動可能に配設された略円柱状の支持部材１４と、その上部に旗本体１１の一端が固定されその下端部が支持部材１４に固定された巻き取り軸１２と、支持部材１４の外周部に装着されたオーリング１０と、巻き取り軸１２の上端に配設された上蓋１３と、筒状体１５の下端に配設された下蓋１６とを備える。【選択図】        図１
2006343532.tif 000002
【特許請求の範囲】
【請求項１】
筒状体と、
前記筒状体の内部に移動可能に配設され、前記筒状体の内径より小さな外径を有する略円柱状の支持部材と、
その上部に旗本体の一端が固定され、その下端部が前記支持部材に固定された巻き取り軸と、
前記支持部材の外周部に装着されたオーリングと、
を備えることを特徴とする携帯用旗。
【請求項２】
請求項１に記載の携帯用旗において、
前記筒状体の内径と前記支持部材の外径との差が、前記オーリングの断面の直径の２倍より小さい携帯用旗。
【請求項３】
請求項１または請求項２に記載の携帯用旗において、
前記巻き取り軸の上端に配設され、前記筒状体の上部開口を閉止する上蓋と、
前記筒状体の下端に配設され、前記筒状体の下部開口を閉止する下蓋と、
をさらに備える携帯用旗。
【請求項４】
請求項１乃至請求項３のいずれかに記載の携帯用旗において、
前記筒状体の長さが、前記巻き取り軸における前記旗本体が固定されていない部分の長さより大きい携帯用旗。
【請求項５】
請求項１乃至請求項４のいずれかに記載の携帯用旗において、
前記筒状体の下部または前記下蓋に、空気抜き孔を形成した携帯用旗。
【請求項６】
請求項１乃至請求項４のいずれかに記載の携帯用旗において、
前記支持部材に対して、当該支持部材をその移動方向に貫通する空気抜き孔を形成した携帯用旗。
【発明の詳細な説明】
【技術分野】
【０００１】
この発明は、携帯用旗に関する。
【背景技術】
【０００２】
スポーツの観戦時や、旅行添乗員が旅行者の案内のために使用する旗は、旗本体が収納が可能で、かつ、携帯性に優れたものであることが好ましい。
【０００３】
特許文献１は、横断表示用の小旗を装着可能なランドセルにかかる考案である。この特許文献１には、上部から下部にかけてその内径が異なる筒体と、この筒体の内部に配設され、筒体の上端部に係合可能な伸縮性材による接止台座と、その上部に旗本体の一端が固定されその下端部が前記接止台座に固定された巻き取り軸とから成る携帯用旗が開示されている。
【特許文献１】実用新案登録第３０７３６３２号
【発明の開示】
【発明が解決しようとする課題】
【０００４】
上述した特許文献１に記載の携帯用旗は、筒体の上端部と接止台座とを係合することで巻き取り軸の位置を固定する構成であることから、巻き取り軸の固定に大きな力を必要とし、あるいは、その係合を容易に実行しうるようにしたときには、筒体の上端部と接止台座との係合関係が解除されやすいという問題が生ずる。
【０００５】
また、上述した特許文献１に記載の携帯用旗においては、使用時において、筒状体から突出する巻き取り軸の長さが一定となることから、使用時の携帯用旗全体の長さを変更することができないという問題が生ずる。
【０００６】
この発明は上記課題を解決するためになされたものであり、筒状体に対して巻き取り軸をスムースに移動させることが可能な携帯用旗を提供することを目的とする。
【課題を解決するための手段】
【０００７】
請求項１に記載の発明は、筒状体と、前記筒状体の内部に移動可能に配設され、前記筒状体の内径より小さな外径を有する略円柱状の支持部材と、その上部に旗本体の一端が固定され、その下端部が前記支持部材に固定された巻き取り軸と、前記支持部材の外周部に装着されたオーリングとを備えることを特徴とする。
【０００８】
請求項２に記載の発明は、請求項１に記載の発明において、前記筒状体の内径と前記支持部材の外径との差が、前記オーリングの断面の直径の２倍より小さくなっている。
【０００９】
請求項３に記載の発明は、請求項１または請求項２に記載の発明において、前記巻き取り軸の上端に配設され、前記筒状体の上部開口を閉止する上蓋と、前記筒状体の下端に配設され、前記筒状体の下部開口を閉止する下蓋とをさらに備えている。
【００１０】
請求項４に記載の発明は、請求項１乃至請求項３のいずれかに記載の発明において、前記筒状体の長さが、前記巻き取り軸における前記旗本体が固定されていない部分の長さより大きくなっている。
【００１１】
請求項５に記載の発明は、請求項１乃至請求項４のいずれかに記載の発明において、前記筒状体の下部または前記下蓋に、空気抜き孔を形成している。
【００１２】
請求項６に記載の発明は、請求項１乃至請求項４のいずれかに記載の発明において、前記支持部材に対して、当該支持部材をその移動方向に貫通する空気抜き孔を形成している。
【発明の効果】
【００１３】
請求項１および請求項２に記載の発明によれば、筒状体に対して巻き取り軸をスムースに移動させることが可能となる。
【００１４】
請求項３に記載の発明によれば、筒状体内部に雨水や埃等が侵入することを有効に防止することが可能となる。
【００１５】
請求項４に記載の発明によれば、使用時において、筒状体から突出する巻き取り軸の長さを変更することで携帯用旗全体の長さを変更することが可能となる。
【００１６】
請求項５および請求項６に記載の発明によれば、支持部材をオーリングとともに、スムースに移動させることが可能となる。
【発明を実施するための最良の形態】
【００１７】
以下、この発明の実施の形態を図面に基づいて説明する。図１は、この発明に係る携帯用旗の分解図である。また、図２は、この発明に係る携帯用旗の要部を示す断面図である。
【００１８】
この携帯用旗は、旗本体１１と、巻き取り軸１２と、上蓋１３と、支持部材１４と、オーリング１０と、筒状体１５と、下蓋１６とから構成される。
【００１９】
巻き取り軸１２の上端には雄ネジ部２１が形成されている。上蓋１３は、その内部に形成された雌ネジ部と巻き取り軸１２の雄ネジ部２１とを螺号することにより、巻き取り軸１２の上端部に固定される。また、巻き取り軸１２の下端には、雄ネジ部２２が形成されている。支持部材１４は、その内部に形成された後述する雌ネジ部２３と巻き取り軸１２の雄ネジ部２２とを螺合することにより、巻き取り軸１２の下端部に固定される。さらに、巻き取り軸１２の上部には、旗本体１１の一端が固定されている。
【００２０】
支持部材１４は筒状体１５の内径より小さな外径を有する略円柱状の形状を有し、筒状体１５の内部に移動可能に配設されている。支持部材１４の外周部には、オーリング１０が装着されている。また、筒状体１５の下端部には、下蓋１６が嵌合されている。さらに、筒状体１５の下部には、空気抜き孔１７が形成されている。
【００２１】
なお、図１に示すように、筒状体１５の長さＬは、巻き取り軸１２における旗本体１１が固定されていない部分の長さｌより大きくなるように、筒状体１５と巻き取り軸１２の長さが設定されている。
【００２２】
図３は、支持部材１４の拡大断面図である。
【００２３】
支持部材１４の内部には、上述したように、巻き取り軸１２の下端部に形成された雄ネジ部２２と螺合する雌ネジ部２３が形成されている。また、支持部材１４の外周部には溝が形成されており、この溝内にオーリング１０が装着されている。なお、この支持部材１４の外径は筒状体１５の内径より小さくなっている。そして、筒状体１５の内径と支持部材１４の外径との差は、オーリング１０の断面の直径の２倍より小さくなるように、それぞれの寸法が設定されている。
【００２４】
次に、この携帯用旗の使用方法について説明する。図４乃至図７は、この発明に係る携帯用旗の使用方法を示す説明図である。
【００２５】
この携帯用旗を使用する前の状態においては、図４に示すように、旗本体１１をその外周部に巻き取った巻き取り軸１２は、筒状体１５内に収納されており、筒状体１５の上部開口は上蓋１３により閉止されている。また、筒状体１５の下部開口は、下蓋１６により閉止されている。これにより、筒状体１５の内部に雨水や埃等が侵入することを防止することができる。このときには、オーリング１０と筒状体１５の内壁との間の静止摩擦力により、支持部材１４は筒状体１５内部で固定されている。
【００２６】
携帯用旗を使用するときには、図５に示すように、上蓋１３を上方に引っ張る。これにより、旗本体１１をその外周部に巻き取った巻き取り軸１２が上蓋１３とともに上昇する。このときには、オーリング１０と筒状体１５の内壁との間の動摩擦力により、上蓋１３が所定の力で移動する。
【００２７】
ここで、上述したように、筒状体１５の下部には、空気抜き孔１７が形成されている。このため、筒状体１５に対して気密状体で接触するオーリング１０が移動した場合においても、筒状体１５内部の気圧の減少により支持部材１４の移動に支障を来すことを有効に防止して、支持部材１４をオーリング１０とともにスムースに移動させることが可能となる。
【００２８】
なお、他の実施形態として、筒状体の下部に空気抜き孔１７を形成する代わりに、支持部材１４に対して、当該支持部材１４をその移動方向（図３における上下方向）に貫通する空気抜き孔１７を形成してもよい。また、下蓋１６に、当該下蓋１６を貫通する空気抜き孔１７を形成してもよい。
【００２９】
しかる後、図６または図７に示すように、旗本体１１をその外周部に巻き取った巻き取り軸１２が、所望の長さだけ筒状体１５より外部に露出した時点で上蓋１３を停止させ、巻き取り軸１２に巻き取られた旗本体１１をのばす。この状態においては、オーリング１０と筒状体１５の内壁との間の静止摩擦力により、支持部材１４は筒状体１５内部で固定されている。
【００３０】
図１を用いて説明したように、筒状体１５の長さＬは、巻き取り軸１２における旗本体１１が固定されていない部分の長さｌより大きくなるように、筒状体１５と巻き取り軸１２の長さが設定されている。このため、図６に示すように、旗本体１１をその外周部に巻き取った巻き取り軸１２を、その途中まで引き出した状態でこの携帯用旗を使用してもよく、また、図７に示すように、旗本体１１をその外周部に巻き取った巻き取り軸１２を、支持部材１４の一部が筒状体１５の上部開口より露出する位置まで引き出した状態でこの携帯用旗を使用してもよい。
【００３１】
この携帯用旗は、オーリング１０と筒状体１５の内壁との間の摩擦力により支持部材１４を固定する構成であることから、図６の状態および図７の状態のいずれの状態においても、携帯用は他を使用することが可能となる。このため、使用時の携帯用旗全体の長さを、所望の長さに変更することが可能となる。
【００３２】
携帯用旗の使用を終了するときには、旗本体１１を巻き取り軸１２に巻き取り、上蓋
１３を押圧することにより、図４に示すように、旗本体１１をその外周部に巻き取った巻き取り軸１２を筒状体１５内部に収納する。
【図面の簡単な説明】
【００３３】
【図１】この発明に係る携帯用旗の分解図である。
【図２】この発明に係る携帯用旗の要部を示す断面図である。
【図３】支持部材１４の拡大断面図である。
【図４】この発明に係る携帯用旗の使用方法を示す説明図である。
【図５】この発明に係る携帯用旗の使用方法を示す説明図である。
【図６】この発明に係る携帯用旗の使用方法を示す説明図である。
【図７】この発明に係る携帯用旗の使用方法を示す説明図である。
【符号の説明】
【００３４】
１０    オーリング
１１    旗本体
１２    巻き取り軸
１３    上蓋
１４    支持部材
１５    筒状体
１６    下蓋
２１    雄ネジ部
２２    雄ネジ部
２３    雌ネジ部
【図１】
2006343532.tif 000003
【図２】
2006343532.tif 000004
【図３】
2006343532.tif 000005
【図４】
2006343532.tif 000006
【図５】
2006343532.tif 000007
【図６】
2006343532.tif 000008
【図７】
2006343532.tif 000009